(57)【要約】【課題】被洗浄物に塗布した後に洗濯を行うことにより、優れた洗浄性能が得られる衣料用洗濯前処理剤組成物を提供する。【解決手段】（ａ）界面活性剤、（ｂ）特定のカルシウム捕捉量及びカルシウム安定度定数を有する分子量１０００以下のキレート剤、（ｃ）特定のカルシウム捕捉量及びカルシウム安定度定数を有する分子量２０００以上のキレート剤、及び（ｄ）水を、それぞれ特定比率で含有する衣料用洗濯前処理剤組成物。【選択図】　なし【特許請求の範囲】
【請求項１】
（ａ）界面活性剤０．０５〜１０質量％、（ｂ）カルシウム捕捉量２００〜６００ＣａＣＯ３ｍｇ／ｇ且つカルシウム安定度定数４〜１０である分子量１０００以下のキレート剤１〜３０質量％、（ｃ）カルシウム捕捉量２０〜５００ＣａＣＯ３ｍｇ／ｇ且つカルシウム安定度定数１〜８である分子量２０００以上のキレート剤０．０５〜１５質量％、及び（ｄ）水５０〜９５質量％を含有する、衣料用洗濯前処理剤組成物。
【請求項２】
（ｂ）が下記一般式（Ｉ）で表される化合物である請求項１記載の衣料用洗濯前処理剤組成物。
【化１】
2004076184.tif 000007
〔式中、Ｒは−（ＣＨ２）ｎ−Ａであり、ＡはＨ、ＯＨ、ＣＯＯＭであり、ＭはＨ、Ｎａ、Ｋ、ＮＨ４であり、ｎは０〜５の数を示す。〕
【請求項３】
（ｂ）が、４０質量％濃度の水溶液もしくは分散液の最大ｐＨが１０以上（２０℃）であり、且つ該水溶液もしくは分散液１リットルをｐＨ９（２０℃）にするために０．１Ｎの塩酸水溶液を１０ｍｌ以上必要とする化合物である請求項１又は２何れか記載の衣料用洗濯前処理剤組成物。
【請求項４】
（ａ）中の５０質量％以上が下記一般式（ＩＩ）で表される化合物である請求項１〜３何れか記載の衣料用洗濯前処理剤組成物。
【化２】
2004076184.tif 000008
〔式中、Ｒ１は炭素数７〜２０のアルキル基又はアルケニル基、Ｒ２、Ｒ３はそれぞれ炭素数１〜３のアルキル基もしくは炭素数２〜３のアルケニル基又は水素原子である。Ｒ４は水素原子又は炭素数１〜５のアルキル基もしくは炭素数２〜５のアルケニル基、ｍは１〜５の数を示す。〕
【請求項５】
（ｃ）／（ｂ）の質量比が１／５０〜１／１である請求項１〜４の何れか１項記載の衣料用洗濯前処理剤組成物。
【請求項６】
（ｂ）のカルシウム安定度定数が、（ｃ）のカルシウム安定度定数より大である請求項１〜５の何れか１項記載の衣料用洗濯前処理剤組成物。
【請求項７】
〔（ｂ）のカルシウム捕捉量（ＣａＣＯ３ｍｇ／ｇ）×（ｂ）の組成物中の濃度（質量％）〕が、〔（ｃ）のカルシウム捕捉量（ＣａＣＯ３ｍｇ／ｇ）×（ｃ）の組成物中の濃度（質量％）〕より大である請求項１〜６の何れか１項記載の衣料用洗濯前処理剤組成物。
【請求項８】
更に（ｅ）ハイドロトロープ剤を１〜３０質量％含有する請求項１〜７の何れか記載の衣料用洗濯前処理剤組成物。
【請求項９】
更に（ｆ）アルカリ剤を１〜３０質量％含有する請求項１〜８の何れか１項記載の衣料用洗濯前処理剤組成物。
【請求項１０】
洗濯前の衣料に、請求項１〜９の何れか１項記載の衣料用洗濯前処理剤組成物を霧状又は泡状にして適用した後、該衣料を洗浄剤を用いて洗濯する衣料の洗濯方法。
【発明の詳細な説明】
【０００１】
【発明の属する技術分野】
本発明は被洗浄物に塗布して用いる衣料用洗濯前処理剤組成物に関する。
【０００２】
【従来の技術】
襟袖、靴下や食べこぼし等の部分汚れのひどい場合は、通常の洗濯では、充分に汚れが取れなかったり、染みのまま残ったりする。一般的に、襟袖、靴下や染み汚れには、直接洗剤を塗布することにより、部分的に洗剤濃度を上げることで対処している。
【０００３】
例えば特開昭６０−１０１１９９号公報、特開平１０−２９８５９９号公報には被洗浄物に塗布した後に洗濯を行う塗布洗浄剤が開示されている。しかし、これらによって開示された内容では洗浄力が不十分であり、特に襟袖、靴下汚れといった人由来の汚れに対して洗浄力が不十分であった。
【０００４】
【発明が解決しようとする課題】
本発明の課題は、塗布時の液物性が改善され、被洗浄物に塗布した後に洗濯を行うことにより、優れた洗浄性能が得られる衣料用洗濯前処理剤組成物を提供することにある。
【０００５】
【課題を解決するための手段】
本発明は、（ａ）界面活性剤〔以下、（ａ）成分という〕０．０５〜１０質量％、（ｂ）カルシウム捕捉量２００〜６００ＣａＣＯ３ｍｇ／ｇ且つカルシウム安定度定数４〜１０である分子量１０００以下のキレート剤〔以下、（ｂ）成分という〕１〜３０質量％、（ｃ）カルシウム捕捉量２０〜５００ＣａＣＯ３ｍｇ／ｇ且つカルシウム安定度定数１〜８である分子量２０００以上のキレート剤〔以下、（ｃ）成分という〕０．０５〜１５質量％、及び（ｄ）水〔以下、（ｄ）成分という〕５０〜９５質量％を含有する、衣料用洗濯前処理剤組成物に関する。
また、本発明は、洗濯前の衣料に、上記本発明の衣料用洗濯前処理剤組成物を霧状又は泡状にして適用した後、該衣料を洗浄剤を用いて洗濯する衣料の洗濯方法に関する。
【０００６】
【発明の実施の形態】
＜衣料用洗濯前処理剤組成物＞
本発明の衣料用洗濯前処理剤組成物は、ＪＩＳ　Ｋ　３３６２：１９９８記載の方法による２０℃のｐＨが７．５〜１２であることが、洗浄力、安全性の点で好ましく、８〜１１がより好ましく、８．５〜１１が更に好ましく、９〜１１が特に好ましく、１０〜１１が最も好ましい。
【０００７】
本発明の衣料用洗濯前処理剤組成物は、塗布時の容器からの排出の容易さの点で２０℃の粘度が１〜５０ｍＰａ・ｓ（Ｂ型粘度計、ローターＮｏ．１、６０ｒ／ｍｉｎ）が好ましく、特に噴霧又は泡状に排出する場合は１〜３０ｍＰａ・ｓがより好ましく、１〜２０ｍＰａ・ｓが更に好ましく、２〜１５ｍＰａ・ｓが特に好ましい。
【０００８】
本発明の衣料用洗濯前処理剤組成物は、洗濯前の被洗浄物に容器排出部の孔より直接塗布したり、スポンジやブラシやロールを介して塗布したり、計量容器で計量して塗布しても良いが、利便性の点で噴霧又は泡状に塗布することがより好ましく、使用者が細かな霧を吸引することを回避するためには、泡状に塗布することが更に好ましい。このように洗濯前に処理された衣料は、次いで洗浄剤（通常の洗濯洗剤等）を用いて洗濯（洗濯機等により）される。
【０００９】
＜（ａ）成分＞
本発明の衣料用洗濯前処理剤組成物は、（ａ）成分を０．０５〜１０質量％含有する。洗浄性能、塗布性の点で０．１〜９質量％が好ましく、０．５〜８質量％がより好ましく、１〜７質量％が更に好ましい。
【００１０】
界面活性剤としては、非イオン界面活性剤、陰イオン界面活性剤、陽イオン界面活性剤、両性界面活性剤等が挙げられる。中でも洗浄性能の点で両性界面活性剤を含有することが好ましく、界面活性剤中の５０質量％以上含有することがより好ましく、６０質量％以上含有することが更に好ましく、７０質量％以上含有することが特に好ましい。
【００１１】
両性界面活性剤としては、アルキルベタイン、イミダゾリニウムベタイン、アミンオキサイド、アルキルアラニン等が挙げられる。洗浄性能の点で下記一般式（ＩＩ）又は（ＩＩＩ）で表される化合物が界面活性剤中の５０質量％以上、更に６０質量％以上、特に７０質量％以上であることが好ましく、なかでも一般式（ＩＩ）で表される化合物が界面活性剤中の５０質量％以上、更に６０質量％以上、特に７０質量％以上であることが好ましい。
【００１２】
【化３】
2004076184.tif 000002
【００１３】
〔式中、Ｒ１は炭素数７〜２０、好ましくは９〜１５のアルキル基又はアルケニル基、Ｒ２、Ｒ３はそれぞれ炭素数１〜３のアルキル基もしくは炭素数２〜３のアルケニル基、好ましくは炭素数１のアルキル基又は水素原子である。Ｒ４は水素原子又は炭素数１〜５のアルキル基もしくは炭素数２〜５のアルケニル基、好ましくは水素原子又はメチル基、ｍは１〜５、好ましくは３の数を示す。〕
【００１４】
【化４】
2004076184.tif 000003
【００１５】
〔式中、Ｒ５は炭素数８〜２０、好ましくは１２〜１４のアルキル基又はアルケニル基、Ｒ６、Ｒ７はそれぞれ炭素数１〜３のアルキル基もしくは炭素数２〜３のアルケニル基、好ましくは炭素数１のアルキル基又は水素原子、ｐは０〜１０、好ましくは２〜４の数を示す。〕。
【００１６】
陰イオン界面活性剤としては、アルコールの硫酸エステル塩、アルコールのエトキシレート化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩又は脂肪酸塩が挙げられる。特に、アルキル鎖の炭素数が１２〜１４の直鎖アルキルベンゼンスルホン酸塩、炭素数１２〜１８のアルキル硫酸エステル塩が好ましく、対イオンとしては、アルカリ金属類、アルカノールアミン類が好ましい。
【００１７】
非イオン界面活性剤としては、ポリオキシアルキレンアルキルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマー、脂肪酸アルカノールアミド、アルキルポリグリコシド等が好ましい。特に、アルキルポリグリコシドが好ましい。
【００１８】
陽イオン界面活性剤としては、４級型のモノ長鎖アルキル又はジ長鎖アルキルアンモニウム塩等が挙げられる。
【００１９】
＜（ｂ）成分＞
本発明の衣料用洗濯前処理剤組成物は、（ｂ）成分を１〜３０質量％含有する。洗浄性能、塗布性の点で２〜２５質量％が好ましく、３〜２０質量％がより好ましく、３．５〜１５質量％が更に好ましく、４〜１２質量％が最も好ましい。洗浄性能の点で、分子量は８００以下が好ましく、６００以下がより好ましい。分子量の下限は２００以上が好ましい。
【００２０】
（ｂ）成分のカルシウム捕捉量は２００〜６００ＣａＣＯ３ｍｇ／ｇであり、洗浄力、環境適性の点で２５０〜５５０ＣａＣＯ３ｍｇ／ｇが好ましく、３００〜５００ＣａＣＯ３ｍｇ／ｇがより好ましい。また、カルシウム安定度定数は４〜１０であり、洗浄力、環境適性の点で５〜９が好ましく、６〜８がより好ましく、６．５〜８が更に好ましい。
【００２１】
尚、本発明において、カルシウム安定度定数及びカルシウム捕捉量は次の方法で求められるものをいう。
【００２２】
（カルシウム安定度定数の測定方法）
緩衝液として０．１ｍｏｌ／リットルのＮＨ４Ｃｌ−ＮＨ４ＯＨ（ｐＨ１０）溶液を調製する。この緩衝液を用いて全ての試料溶液を調製する。Ｃａ２＋濃度の測定にはオリオン（株）製のイオンメーター９２０ＡとＣａ２＋イオン電極を用いる。先ず、塩化カルシウム濃度と電極の電位の関係を求め、検量線を作成する。塩化カルシウムの５．３６×１０−２ｍｏｌ／リットル溶液、キレート剤試料の５．３６×１０−４ｍｏｌ／リットル溶液を調製する。キレート剤試料溶液１００ｍｌに塩化カルシウム溶液を１ｍｌ加え、５分間撹拌する。残存しているＣａ２＋濃度をＣａ２＋イオン電極を用いて測定する。キレート剤はＣａ２＋と１：１でキレート錯体を形成すると仮定して下記の式からカルシウム安定度定数（Ｃａ安定度定数）を求める。
【００２３】
【数１】
2004076184.tif 000004
【００２４】
（カルシウム捕捉量の測定方法）
カルシウム捕捉量（Ｃａ捕捉量）は、特開平３−２７７６９６号公報３頁右下欄６行目から４頁左上欄６行目記載の方法（但し、陰イオン性界面活性剤をキレート剤と読み替える）により求める。
【００２５】
（ｂ）成分としては、分子内にＣＯＯＭ基（ＭはＨ、Ｎａ、Ｋ、ＮＨ４）を２〜５個、好ましくは３〜５個有する化合物が挙げられる。中でも洗浄性能、環境適性の点で下記一般式（Ｉ）で表される化合物が好ましい。
【００２６】
【化５】
2004076184.tif 000005
【００２７】
〔式中、Ｒは−（ＣＨ２）ｎ−Ａであり、ＡはＨ、ＯＨ、ＣＯＯＭであり、ＭはＨ、Ｎａ、Ｋ、ＮＨ４、好ましくはＮａであり、ｎは０〜５の数を示す。〕。
【００２８】
本発明において、（ｂ）成分、好ましくは一般式（Ｉ）で表される化合物と、（ａ）成分、好ましくは両性界面活性剤の質量比は、（ａ）／（ｂ）＝３／１〜１／５であることが好ましく、より好ましくは２／１〜１／３、更に好ましくは１／１〜１／３、特に好ましくは１／１〜１／２である。
【００２９】
（ｂ）成分は、４０質量％濃度の水溶液もしくは分散液の最大ｐＨが１０以上（２０℃）であり、且つ該水溶液もしくは分散液１リットルをｐＨ９（２０℃）にするために０．１Ｎの塩酸水溶液を１０ｍｌ以上必要とする化合物であることが好ましい。
【００３０】
＜（ｃ）成分＞
本発明の衣料用洗濯前処理剤組成物は、洗浄性能、塗布性の点で、（ｃ）成分を０．１〜１２質量％含有することが好ましく、０．２〜１０質量％がより好ましく、０．３〜５質量％が更に好ましく、０．５〜３質量％が最も好ましい。
【００３１】
本発明では、（ｃ）成分と（ｂ）成分との質量比が（ｃ）／（ｂ）＝１／５０〜１／１、更に１／３０〜１／１、特に１／１０〜１／２であることが洗浄性能の点で好ましい。
【００３２】
また、（ｃ）成分は、安定性、洗浄性能の点で、分子量は２０００以上であり、２０００〜２００００が好ましく、２０００〜１５０００がより好ましい。（ｃ）成分が重合体である場合、その分子量は、重量平均分子量であり、ゲルパーミエーションクロマトグラフィー（標準物質：ポリスチレン）により測定されたものである。
【００３３】
また、（ｃ）成分のカルシウム捕捉量は２０〜５００ＣａＣＯ３ｍｇ／ｇであり、洗浄力の点で４０〜４００ＣａＣＯ３ｍｇ／ｇが好ましく、１００〜３５０ＣａＣＯ３ｍｇ／ｇがより好ましい。本発明では、前述の（ｂ）成分のカルシウム捕捉量が（ｃ）成分のカルシウム捕捉量より大きいことが好ましく、具体的には、〔（ｂ）のカルシウム捕捉量（ＣａＣＯ３ｍｇ／ｇ）×（ｂ）の組成物中の濃度（質量％）〕が、〔（ｃ）のカルシウム捕捉量（ＣａＣＯ３ｍｇ／ｇ）×（ｃ）の組成物中の濃度（質量％）〕より大であることが好ましく、更に、〔（ｂ）のカルシウム捕捉量（ＣａＣＯ３ｍｇ／ｇ）×（ｂ）の組成物中の濃度（質量％）〕−〔（ｃ）のカルシウム捕捉量（ＣａＣＯ３ｍｇ／ｇ）×（ｃ）の組成物中の濃度（質量％）〕＝２００〜４０００（ＣａＣＯ３ｍｇ／ｇ・質量％）、更に５００〜３０００（ＣａＣＯ３ｍｇ／ｇ・質量％）であることが好ましい。
【００３４】
また、（ｃ）成分のカルシウム安定度定数は１〜８であり、洗浄力の点で１〜６が好ましく、２〜６がより好ましく、２〜４が更に好ましい。本発明では、前述の（ｂ）のカルシウム安定度定数が（ｃ）成分のカルシウム安定度定数より大きいことが好ましく、具体的には〔（ｂ）成分のカルシウム安定度定数〕−〔（ｃ）成分のカルシウム安定度定数〕＝２〜６、更に２〜４であることが好ましい。
【００３５】
なお、（ｃ）成分のカルシウム捕捉量、カルシウム安定度定数は、何れも（ｂ）成分と同様に測定されたものである。
【００３６】
（ｃ）成分としては、分子内にＣＯＯＭ基（ＭはＨ、Ｎａ、Ｋ、ＮＨ４）を有する化合物が挙げられる。中でも、洗浄性能の点で、ポリアクリル酸又はその塩、ポリマレイン酸又はその塩、カルボキシメチルセルロース、アクリル酸−マレイン酸共重合体若しくはその塩、無水マレイン酸−ジイソブチレン共重合体若しくはその塩、無水マレイン酸−メチルビニルエーテル共重合体若しくはその塩、無水マレイン酸−イソブチレン共重合体若しくはその塩、無水マレイン酸−酢酸ビニル共重合体若しくはその塩、及び特開昭５９−６２６１４号公報の請求項１〜２１（１頁３欄５行〜３頁４欄１４行）記載のポリマー等の有機多価カルボン酸及び／又はその塩が好ましい。特にポリアクリル酸又はその塩が好ましい。
【００３７】
＜（ｄ）成分＞
本発明の衣料用洗濯前処理剤組成物は、（ｄ）成分を５０〜９５質量％含有する。洗浄性能、塗布性の点で５５〜９０質量％が好ましく、６０〜８５質量％がより好ましく、６５〜８０質量％が更に好ましい。
【００３８】
＜（ｅ）成分＞
本発明の衣料用洗濯前処理剤組成物は、低温安定性、塗布性の点で、ハイドロトロープ剤〔（ｅ）成分〕を１〜３０質量％含有することが好ましく、２〜１５質量％がより好ましく、３〜１０質量％が更に好ましい。
【００３９】
（ｅ）成分としては、メタノール、エタノール、プロパノール、グリセリン、エチレングリコール、プロピレングリコール等の炭素数１〜４の低級アルコール、トルエンスルホン酸又はその塩、キシレンスルホン酸又はその塩、下記一般式（ＩＶ）で示される化合物等が挙げられる。
【００４０】
Ｘ−（Ｐｈ）−Ｏ（ＣＨ２ＣＨ２Ｏ）ｐ（ＣＨ２ＣＨＲＯ）ｑＹ　（ＩＶ）
〔式中、Ｘは、水素原子、炭素数１〜４のアルキル基もしくは炭素数２〜４のアルケニル基、水酸基、又はハロゲンであり、Ｙは、水素原子、メチル基、又はエチル基であり、Ｐｈは、フェニレン基であり、Ｒは、水素原子、メチル基、又はエチル基であり、ｐは、１〜６、好ましくは１〜３、ｑは、０〜４、好ましくは０〜２であり、ｐ＋ｑは、１〜１０、好ましくは１〜６である。〕。
【００４１】
中でも炭素数２〜３の低級アルコール、ｐ−トルエンスルホン酸又はその塩がより好ましい。
【００４２】
＜（ｆ）成分＞
本発明の衣料用洗濯前処理剤組成物は、アルカリ剤〔（ｆ）成分〕を１〜３０質量％含有することが好ましい。洗浄性能、塗布性の点で３〜２５質量％がより好ましく、５〜２０質量％が更に好ましく、５〜１５質量％が特に好ましい。
【００４３】
（ｆ）成分としては、例えば炭酸ナトリウム、炭酸水素ナトリウム、炭酸カリウム、炭酸水素カリウム等のアルカリ金属炭酸塩、珪酸ナトリウム、珪酸カリウム等のアルカリ金属珪酸塩、オルトリン酸塩、メタリン酸塩、ピロリン酸塩、ヘキサメタリン酸塩等のポリリン酸塩、モノエタノールアミン、ジエタノールアミン、トリエタノールアミン等のアルカノールアミン類、リン酸水素二ナトリウム、リン酸三ナトリウム、ホウ酸塩等が挙げられる。
【００４４】
（ｆ）成分は洗浄性能の点で、（ｆ）成分の０．０２５質量％濃度の水溶液もしくは分散液の最大ｐＨが１０以上（２０℃）であり、且つ該水溶液もしくは分散液１リットルをｐＨ９（２０℃）にするために０．１Ｎの塩酸水溶液を１０ｍｌ以上必要とする化合物であることが好ましい。このような化合物としては、炭酸ナトリウム、炭酸カリウム、珪酸ナトリウム、リン酸三ナトリウム、モノエタノールアミン等が挙げられる。中でも炭酸ナトリウム、炭酸カリウム、珪酸ナトリウムがより好ましく、特に炭酸ナトリウムが好ましい。
【００４５】
＜その他の成分＞
本発明の衣料用洗濯前処理剤組成物には、（１）平均分子量５０００以上のポリエチレングリコール、ナフタレンスルホン酸塩ホルマリン縮合物等の再汚染防止剤及び分散剤０．０１〜１０質量％、（２）ポリビニルピロリドン等の色移り防止剤０．０１〜１０質量％、（３）シリコーン、シリカ等の調泡剤０．０１〜２質量％、（４）ブチルヒドロキシトルエン、ジスチレン化クレゾール、亜硫酸ナトリウム及び亜硫酸水素ナトリウム等の酸化防止剤０．０１〜２質量％、（５）着色剤、（６）アミラーゼ、プロテアーゼ、リパーゼ、セルラーゼ等の酵素、（７）塩化カルシウム、硫酸カルシウム、ギ酸、ホウ酸（ホウ素化合物）等の酵素安定化剤、（８）香料、（９）抗菌防腐剤等を配合することができる。
【００４６】
〔洗濯前処理剤組成物の使用方法〕
本発明の洗濯前処理剤組成物は、被洗浄物に容器排出部の孔より直接塗布したり、スポンジやブラシやロールを介して塗布したり、計量容器で計量して塗布しても良いが、利便性の点で噴霧又は泡状に塗布することがより好ましく、非吸引性、匂立ちの点で泡状に塗布することが更に好ましい。
本発明の洗濯前処理剤組成物の使用例として、襟汚れ、袖汚れ、しみ等の被洗浄物の汚れが集中した部分（特に人由来の汚れである襟汚れ、袖汚れ）に、内容物を塗布して用いることが挙げられる。塗布した後一定時間後に洗濯することにより効果的な洗浄が行える。洗浄性能の点で、１０秒以上経過後に洗濯するのが好ましく、３０秒以上がより好ましく、１分以上が更に好ましく、５分以上が特に好ましい。効果及び簡便性の点で、５時間以下が好ましく、２時間以下がより好ましく、１時間以下が更に好ましく、３０分以下が特に好ましい。
【００４７】
〔容器〕
本発明の洗濯前処理剤組成物を泡状に塗布して用いる場合の泡吐出容器としては、トリガー式泡吐出容器、ポンプ機構を備えたキャップの頭部を手指で押圧することにより使用されるポンプ式泡吐出容器、軟質容器の胴部を手指で押圧することにより使用するスクイズフォーマー、エアゾール等が挙げられるが、使用性、経済性、環境適合性等よりトリガー式スプレー容器、スクイズフォーマーがより好ましく、トリガー式スプレー容器が特に好ましい。トリガー式スプレー容器の場合、使用性の点で２０℃における１回の吐出量は０．３〜２ｇが好ましく、０．５〜１．５ｇがより好ましい。
【００４８】
好ましい泡の物性として、洗浄性能、匂立ち、使用感の点で、２０℃において嵩密度５０〜３００ｇ／Ｌの泡が好ましく、６０〜２５０ｇ／Ｌがより好ましく、７０〜２００ｇ／Ｌが更に好ましく、１００〜２００ｇ／Ｌが特に好ましい。また、洗浄性能、匂立ち、使用感の点で、２０℃において容器より吐出した１００ｍＬの泡を静置し、泡の７０質量％相当の液層が現れるまでの時間が３０秒〜１０分が好ましく、１〜１０分がより好ましく、２〜９分が更に好ましく、３〜８分が特に好ましい。
【００４９】
尚、泡の嵩密度は２０℃において、１００ｍＬのメスシリンダー（内径２７ｍｍ、旭テクノグラス（株）製）を用い、１００ｍＬの質量を求めた。また、これを静置し、泡の７０質量％相当の液層が現れるまでの時間を求めた。
【００５０】
洗濯前処理剤組成物を泡吐出容器に充填することを目的として、洗濯前処理剤組成物をスタンディングパウチ、詰め替えボトル等に充填しても良い。
【００５１】
【実施例】
実施例１〜７、比較例１〜３
表１に示す衣料用洗濯前処理剤組成物を調製した。得られた実施例の組成物の２０℃のｐＨは何れも１０〜１１であった。また、実施例の組成物の粘度は何れも２〜１５ｍＰａ・ｓ（Ｂ型粘度計、ローターＮｏ．１、２０℃、６０ｒ／ｍｉｎ）であった。
【００５２】
これらについて以下に示す方法により、洗浄力の評価を行った。その結果を表１に示す。
【００５３】
＜洗浄力の評価＞
（襟あか布の調製）
ＪＩＳ　Ｋ３３６２：１９９８　記載の襟あか布を調製する。
【００５４】
（洗浄条件及び評価方法）
２槽式洗濯機（東芝銀河３．６）の洗濯槽にＪＩＳ　Ｋ３３６２：１９９８　記載の使用水４０Ｌを入れ、これに１．４ｋｇの綿製の未着用肌着及び０．６ｋｇの綿／ポリエステル混紡の未着用ワイシャツを入れる。更に、ＪＩＳ　Ｋ３３６２：１９９８　記載の洗浄力判定用指標洗剤（蛍光増白剤無添加）５３ｇ（無水物換算）投入する。更に上記襟あか布１枚に付き、衣料用洗濯前処理剤組成物４ｇを塗布した後、５分間静置した襟あか布６枚（３段階の汚れを各２枚）を洗濯槽に入れ、１０分間普通洗浄する。その後１分間脱水し、８分間１５Ｌ／ｍｉｎの水量で流水すすぎする。その後５分間脱水し、室内で自然乾燥させる。
【００５５】
衣料用洗濯前処理剤組成物を塗布しないで同様の操作を行ったものをブランクとして、目視により一対比較し、以下の判定基準により評価する。
【００５６】
評価基準
◎：３段階の汚れ全てにおいて、ブランクより明らかに汚れが落ちている。
○：３段階の汚れ全てにおいて、ブランクよりやや汚れが落ちている。
×：３段階の汚れ全てにおいて、ブランクとほとんど差がない、又は汚れ落ちに劣る。
【００５７】
また、調製した実施例の組成物を市販のトリガー式泡吐出容器（ファミリーシンクまわりクリーナー２５０ｍＬ、花王（株）製）に充填し、容器入り洗濯前処理剤を得た。得られた容器入り洗濯前処理剤から吐出される泡は、何れも嵩密度１００〜２００ｇ／Ｌ、静置した１００ｍＬの泡から泡の７０質量％相当の液層が現れるまでの時間は３〜８分であり、良好な液物性であった。得られた容器入り洗濯前処理剤を用いて、襟あか布に実施例の組成物を塗布したところ、塗布性は良好であった。また、得られた容器入り洗濯前処理剤を用いて、泡状に塗布した以外は洗浄力の評価方法に従い洗浄力の評価を行ったところ、同等以上の洗浄力を示した。
【００５８】
【表１】
2004076184.tif 000006
【００５９】
・両性界面活性剤１：ラウラミドプロピルアミンオキシド（ソフタゾリンＬＡＯ−Ｃ、川研ファインケミカル（株）、純分換算量）
・両性界面活性剤２：ジメチルラウリルアミンオキサイド（アンヒトール２０Ｎ、花王（株）、純分換算）
・両性界面活性剤３：ラウリル（２−ヒドロキシ−３−スルホプロピル）ジメチルベタイン（アンヒトール２０ＨＤ、花王（株）、純分換算）
・非イオン界面活性剤１：デシルグルコシド（マイドール１０、花王（株）、純分換算）
・非イオン界面活性剤２：炭素数１０〜１４の直鎖第１級アルコールにエチレンオキサイドを平均８モル、プロピレンオキサイドを平均２モルランダム付加させたもの
・陰イオン界面活性剤１：ヤシ油脂肪酸ナトリウム
・陰イオン界面活性剤２：炭素数１０〜１４の直鎖アルキル基を有するアルキルベンゼンスルホン酸（酸型）
・キレート剤ｂ１：メチルグリシン二酢酸三ナトリウム（トリロンＭリキッド、ＢＡＳＦジャパン（株）、純分換算）（Ｃａ捕捉量４３０ＣａＣＯ３ｍｇ／ｇ、Ｃａ安定度定数６．１）
・キレート剤ｂ２：アスパラギン酸−Ｎ，Ｎ−二酢酸四ナトリウム（Ｃａ捕捉量３２８ＣａＣＯ３ｍｇ／ｇ、Ｃａ安定度定数６．７）
・キレート剤ｂ３：セリン二酢酸三ナトリウム（Ｃａ捕捉量３４７ＣａＣＯ３ｍｇ／ｇ、Ｃａ安定度定数６．５）
・キレート剤ｂ４：グルタミン酸二酢酸四ナトリウム（Ｃａ捕捉量３０５ＣａＣＯ３ｍｇ／ｇ、Ｃａ安定度定数５．８）
・キレート剤ｂ５：ニトリロ三酢酸三ナトリウム（Ｃａ捕捉量４３０ＣａＣＯ３ｍｇ／ｇ、Ｃａ安定度定数６．６）
・キレート剤ｃ１：ポリアクリル酸ナトリウム（重量平均分子量５０００、Ｃａ捕捉量２０５ＣａＣＯ３ｍｇ／ｇ、Ｃａ安定度定数３．４）
・キレート剤ｃ２：アクアリックＤＬ３６５（（株）日本触媒製のポリアクリル酸ナトリウム、重量平均分子量５０００、Ｃａ捕捉量２２０ＣａＣＯ３ｍｇ／ｇ、Ｃａ安定度定数３．２）
・キレート剤ｃ３：特開平１０−６０４７６号公報４頁段落００２０に記載の合成例１により合成した高分子化合物（１）（重量平均分子量１００００、Ｃａ捕捉量７５ＣａＣＯ３ｍｇ／ｇ、Ｃａ安定度定数３．６）
・酵素：エバラーゼ１６．０Ｌ−ＥＸ（プロテアーゼ、ノボザイムズ社製）
・色素：カヤシオンターキスＫＮＡ（日本化薬（株）製、組成物中に１０ｐｐｍ（質量比）添加）